(57)【要約】      （修正有）【課題】乗場三方枠を揚重する時に幕板の意匠面が歪むことがなく、かつ乗場への据付け作業性を改善するようにしたエレベータの乗場装置を得る。【解決手段】乗場三方枠の左右両側部を構成する左右縦枠１と、乗場三方枠の上側部を構成する幕板２と、幕板内に設けられ、遮煙・遮炎スクリーンを内蔵した遮煙・遮炎スクリーン装置３とを備えたものにおいて、乗場三方枠の左右縦枠の側面と幕板との接合部位に、乗場三方枠の両側から外方に突出する揚重治具５を着脱自在に設ける。【選択図】図６
2007246209.tif 000002
【特許請求の範囲】
【請求項１】
乗場三方枠の左右両側部を構成する左右縦枠と、前記乗場三方枠の上側部を構成する幕板とを備えたエレベータの乗場装置において、
前記乗場三方枠の左右縦枠の側面と前記幕板との接合部位に、前記乗場三方枠の両側から外方に突出する揚重治具を着脱自在に設けたことを特徴とするエレベータの乗場装置。
【請求項２】
乗場三方枠の左右両側部を構成する左右縦枠と、前記乗場三方枠の上側部を構成する幕板と、前記幕板内に設けられ、遮煙・遮炎スクリーンを内蔵した遮煙・遮炎スクリーン装置とを備えたエレベータの乗場装置において、
前記乗場三方枠の左右縦枠の側面と前記幕板との接合部位に、前記乗場三方枠の両側から外方に突出する揚重治具を着脱自在に設けたことを特徴とするエレベータの乗場装置。
【請求項３】
揚重治具は断面コ字形を呈しており、その内側の取り付け部が左右縦枠の側面と幕板との接合部位に着脱自在に取り付けられ、外側の揚重吊り上げ部に揚重穴を設けたことを特徴とする請求項１又は請求項２記載のエレベータの乗場装置。
【請求項４】
揚重治具の揚重穴に対して垂直となる別の揚重穴を有する金具を前記揚重治具の中央に設けたことを特徴とする請求項３記載のエレベータの乗場装置。
【請求項５】
揚重治具の相互間に跨って継ぎ枠を取り付けたことを特徴とする請求項１〜請求項４のいずれかに記載のエレベータの乗場装置。
【請求項６】
揚重治具の外側の揚重吊り上げ部の先端部は、乗場三方枠の左右縦枠の見付部分及び幕板の面より突出していることを特徴とする請求項３記載のエレベータの乗場装置。
【発明の詳細な説明】
【技術分野】
【０００１】
この発明は、エレベータの乗場装置に関するものである。
【背景技術】
【０００２】
従来のエレベータの乗場装置における遮煙・遮炎スクリーン組込型乗場三方枠について図１６〜図２３により説明する。図１６は従来のエレベータの乗場装置における遮煙・遮炎スクリーン組込型乗場三方枠を示す乗場側正面図、図１７は図１６の矢視Ａ方向から見た縦枠幅が小さい場合を示す拡大側面図、図１８は図１６の矢視Ａ方向から見た縦枠幅が大きい場合を示す拡大側面図、図１９は従来の遮煙・遮炎スクリーン組込型乗場三方枠を揚重する場合を示す正面図、図２０はその側面図、図２１は図１９のＸ−Ｘ線に沿った断面図、図２２は幕板高さが大きい場合の揚重例を示す要部拡大図、図２３は従来の揚重例の問題点を示す説明図である。
図において、１は乗場三方枠の左右両側部を構成する左右縦枠、２は乗場三方枠の上部を構成する幕板、３は乗場三方枠上部の幕板２の背面に組み込まれた遮煙・遮炎スクリーン装置、４は幕板２上部の折り曲げ平坦部の両側部に取り付けられた従来の揚重治具である。遮煙・遮炎スクリーン組込型乗場三方枠を揚重する場合は、従来の揚重治具４にシャックル１０等を介して揚重ワイヤー１１を取り付け、この揚重ワイヤー１１の中央部をチェーンブロック等のフック１２で吊り上げ、揚重する方法等がある。そして、このような構造のエレベータの乗場装置における遮煙・遮炎スクリーン組込型乗場三方枠はよく知られている（例えば、特許文献１参照）
【０００３】
【特許文献１】特開２００５−１８７１７４号公報
【発明の開示】
【発明が解決しようとする課題】
【０００４】
従来の遮煙・遮炎スクリーン組込型乗場三方枠の揚重方法では、補強のない幕板２上部の折り曲げ平坦部に乗場三方枠の全荷重が集中するので、揚重した際に幕板２が屈曲したり、歪んでしまうことがあった。また、乗場三方枠の縦枠幅や幕板高さが大きい場合、３０ｋｇ以上の質量である遮煙・遮炎スクリーン３が乗場三方枠の上部に設けられているため、重心位置が高くなり、幕板上端部で揚重すると、図１９〜図２１に示すように、乗場三方枠の縦枠が左右・前後方向に倒れたり、ひねりが生じたりして、乗場三方枠が歪んだり、スクリーンシートが破損するなどの問題があった。更に、乗場三方枠の上端部で揚重するため、乗場三方枠をチェーンブロック等で揚重した後、昇降路から乗場に引き込む時に、揚重スペースが不足したり、治具４が乗場開口部と干渉したりして、据付け作業性が悪い等の問題があった。
【０００５】
この発明は上記のような課題を解決するためになされたもので、乗場三方枠を揚重する時に幕板の意匠面が歪むことがなく、かつ乗場への据付け作業性を改善するようにしたエレベータの乗場装置を提供するものである。
【課題を解決するための手段】
【０００６】
この発明に係るエレベータの乗場装置は、乗場三方枠の左右両側部を構成する左右縦枠と、乗場三方枠の上側部を構成する幕板とを備えたものにおいて、乗場三方枠の左右縦枠の側面と幕板との接合部位に、乗場三方枠の両側から外方に突出する揚重治具を着脱自在に設けたものである。
【０００７】
また、乗場三方枠の左右両側部を構成する左右縦枠と、乗場三方枠の上側部を構成する幕板と、幕板内に設けられ、遮煙・遮炎スクリーンを内蔵した遮煙・遮炎スクリーン装置とを備えたものにおいて、乗場三方枠の左右縦枠の側面と幕板との接合部位に、乗場三方枠の両側から外方に突出する揚重治具を着脱自在に設けたものである。
【発明の効果】
【０００８】
この発明によれば、乗場三方枠を揚重する時に幕板の意匠面が歪むことがなく、かつ乗場への据付け作業性を改善できるという効果がある。
【発明を実施するための最良の形態】
【０００９】
実施の形態１.
図１はこの発明の実施の形態１のエレベータの乗場装置における遮煙・遮炎スクリーン組込型乗場三方枠を示す乗場側正面図、図２は図１の矢視Ａ方向から見た縦枠幅が小さい場合を示す要部拡大側面図、図３は図１の矢視Ａ方向から見た縦枠幅が大きい場合を示す要部拡大側面図、図４は図１のＢ−Ｂ線に沿った乗場三方枠が末広がり形状の場合を示す拡大断面図、図５は図１のＢ−Ｂ線に沿った乗場三方枠が角形状の場合を示す拡大断面図、図６はこの発明の実施の形態１における遮煙・遮炎スクリーン組込型乗場三方枠を揚重する場合を示す要部斜視図、図７は遮煙・遮炎スクリーン組込型乗場三方枠を吊り上げて移動する場合を示す側面図である。
【００１０】
図において、１は乗場三方枠の左右両側部を構成する左右縦枠、２は乗場三方枠の上側部を構成する幕板、３は乗場三方枠上部の幕板２の背面に組み込まれた遮煙・遮炎スクリーン装置で、遮煙スクリーン３ａが内蔵されている。５は遮煙・遮炎スクリーン組込型乗場三方枠の左右縦枠１の側面における幕板２との接合部にそれぞれ着脱自在に設けられた断面コ字形の揚重治具で、乗場三方枠の両側から外方に突出しており、その内側にはＬ字形の強度部材６が溶接等により固定されている。７は幕板２の背面側に重合固着された補強板である。上記揚重治具５の内側の取り付け部５ａは、ボルト、ナット等からなる締結具８により左右縦枠１と幕板２の補強板７の接合部位に締結されており、揚重治具５の外側の揚重吊り上げ部５ｂには、複数個の揚重穴９が設けられている。そして、この揚重穴９には適宜シャックル１０等を介して揚重ワイヤー１１を取り付け、この揚重ワイヤー１１の中央部をチェーンブロック等のフック１２で吊り上げて揚重する。なお、揚重治具５の外側の揚重吊り上げ部５ｂの先端部は、乗場三方枠の意匠面である左右縦枠１の正面見付部分１ａ及び幕板２の面より突出しており、乗場三方枠の意匠面を下にして遮煙・遮炎スクリーンの取り付けや保管を行う場合に、揚重治具５が意匠面を保護する足の代わりとなる。
【００１１】
上記のように、乗場三方枠の上部に設けられる遮煙・遮炎スクリーン装置３は、遮煙スクリーン３ａが内蔵されているため、重心位置が高くなる。しかしながら、このように重心位置が高い遮煙・遮炎スクリーン組込型乗場三方枠を揚重する場合でも、揚重治具５が幕板２の補強板７と締結されているので、幕板２の意匠面が歪む恐れがない。また、図３に示すように、乗場三方枠の縦枠幅が大きい場合や、従来の図２２に示すように、幕板２の高さが高い場合でも、揚重時のアンバランスによって、幕板２の歪みが増大する恐れがない。また、揚重治具５は断面コ字形を呈しており、縦枠１の正面の見付部分１ａを避けている構造であるため、見付部分１ａの幅Ｃが大きい場合や、図４に示すように、乗場三方枠形状が末広がり形状の場合や、図５に示すように、乗場三方枠形状が角形状の場合の両方にも対応することができる。また、乗場三方枠のサイズによって、揚重治具５の取り付け位置や揚重治具５自体の寸法を変える必要がないので、乗場三方枠と揚重治具５の両方の製造コストを削減できる。また、乗場三方枠を乗場側からワイヤー１１で保持しながら昇降路へ引き込むことができるため、据付作業性が向上する。更に、乗場三方枠の意匠面を下にして遮煙・遮炎スクリーンの取り付けや保管を行う場合に、揚重治具５が意匠面を保護する足の代わりにもなる。
【００１２】
なお、この発明は遮煙・遮炎スクリーン組込型乗場三方枠以外のエレベータの乗場三方枠にも実施できることはもちろんである。
【００１３】
実施の形態２.
図８はこの発明の実施の形態２における遮煙・遮炎スクリーン組込型乗場三方枠を示す要部拡大側面図、図９は図８における継ぎ枠の取り付け構造を示す要部拡大斜視図とその分解斜視図、図１０はこの発明の実施の形態２における遮煙・遮炎スクリーン組込型乗場三方枠を揚重する場合を示す要部斜視図、図１１は遮煙・遮炎スクリーン組込型乗場三方枠を吊り上げて移動する場合を示す側面図である。
【００１４】
この実施の形態２では、左右縦枠１の側面にそれぞれ着脱自在に設けられた断面コ字形の揚重治具５の相互間に跨って継ぎ枠１３を取り付けたものである。この継ぎ枠１３は、図９に示すように、長尺の溝付きリップ鋼からなり、内部にねじ穴１４ａを有するねじ座１４を入れて、外部より取付金具１５の貫通穴を通してボルト１６で締結するものである。
これにより、乗場三方枠を吊り上げて揚重する場合でも、継ぎ枠１３があるので、吊り上げ時に乗場三方枠に内側方向の曲げ力が掛からないようにすることができ、乗場三方枠の変形を防止することができる。
【００１５】
実施の形態３.
図１２はこの発明の実施の形態３における遮煙・遮炎スクリーン組込型乗場三方枠の継ぎ枠の取り付け構造を示す要部拡大斜視図とその分解斜視図である。
【００１６】
この実施の形態３では、継ぎ枠１３を、図１２に示すように、長尺の角パイプとし、継ぎ枠１３をハット形金具１７で止めたものである。
これにより、実施の形態２と同様の効果が得られる。
【００１７】
実施の形態４.
図１３はこの発明の実施の形態４における遮煙・遮炎スクリーン組込型乗場三方枠を示す図１のＢ−Ｂ線に沿った断面図、図１４はこの発明の実施の形態４における遮煙・遮炎スクリーン組込型乗場三方枠を揚重する場合を示す要部斜視図、図１５は遮煙・遮炎スクリーン組込型乗場三方枠を吊り上げて移動する場合を示す側面図である。
【００１８】
上記実施の形態１では、揚重治具５の外側の揚重吊り上げ部５ｂに複数個の揚重穴９を設けているが、この実施の形態４においては、それに加えて、揚重治具５の内側に溶接等により固定されたＬ字形の強度部材６の上部に、上記複数個の揚重穴９に対して垂直となる別の揚重穴９ａを設けたものである。そして、この別の揚重穴９ａに適宜シャックル１０等を介して揚重ワイヤー１１を取り付け、この揚重ワイヤー１１の中央部をチェーンブロック等のフック１２で吊り上げて揚重する。
これにより、乗場三方枠を間口方向に対して垂直の方向に吊り上げて揚重する際、シャックル１０を揚重方向と垂直に掛けられるため、揚重治具５が歪む恐れがなく、据付作業性が向上する。また、強度部材６により強度が増大する。
【図面の簡単な説明】
【００１９】
【図１】この発明の実施の形態１のエレベータの乗場装置における遮煙・遮炎スクリーン組込型乗場三方枠を示す乗場側正面図である。
【図２】図１の矢視Ａ方向から見た縦枠幅が小さい場合を示す要部拡大側面図である。
【図３】図１の矢視Ａ方向から見た縦枠幅が大きい場合を示す要部拡大側面図である。
【図４】図１のＢ−Ｂ線に沿った乗場三方枠が末広がり形状の場合を示す拡大断面図である。
【図５】図１のＢ−Ｂ線に沿った乗場三方枠が角形状の場合を示す拡大断面図である。
【図６】この発明の実施の形態１における遮煙・遮炎スクリーン組込型乗場三方枠を揚重する場合を示す要部斜視図である。
【図７】遮煙・遮炎スクリーン組込型乗場三方枠を吊り上げて移動する場合を示す側面図である。
【図８】この発明の実施の形態２における遮煙・遮炎スクリーン組込型乗場三方枠を示す要部拡大側面図である。
【図９】図８における継ぎ枠の取り付け構造を示す要部拡大斜視図とその分解斜視図である。
【図１０】この発明の実施の形態２における遮煙・遮炎スクリーン組込型乗場三方枠を揚重する場合を示す要部斜視図である。
【図１１】遮煙・遮炎スクリーン組込型乗場三方枠を吊り上げて移動する場合を示す側面図である。
【図１２】この発明の実施の形態３における遮煙・遮炎スクリーン組込型乗場三方枠の継ぎ枠の取り付け構造を示す要部拡大斜視図とその分解斜視図である。
【図１３】この発明の実施の形態４における遮煙・遮炎スクリーン組込型乗場三方枠を示す図１のＢ−Ｂ線に沿った断面図である。
【図１４】この発明の実施の形態４における遮煙・遮炎スクリーン組込型乗場三方枠を揚重する場合を示す要部斜視図である。
【図１５】遮煙・遮炎スクリーン組込型乗場三方枠を吊り上げて移動する場合を示す側面図である。
【図１６】従来のエレベータの乗場装置における遮煙・遮炎スクリーン組込型乗場三方枠を示す乗場側正面図である。
【図１７】図１６の矢視Ａ方向から見た縦枠幅が小さい場合を示す拡大側面図である。
【図１８】図１６の矢視Ａ方向から見た縦枠幅が大きい場合を示す拡大側面図である。
【図１９】従来の遮煙・遮炎スクリーン組込型乗場三方枠を揚重する場合を示す正面図である。
【図２０】従来の遮煙・遮炎スクリーン組込型乗場三方枠を揚重する場合を示す側面図である。
【図２１】図１９のＸ−Ｘ線に沿った断面図である。
【図２２】幕板高さが大きい場合の揚重例を示す要部拡大図である。
【図２３】従来の揚重例の問題点を示す説明図である。
【符号の説明】
【００２０】
１  乗場三方枠の左右縦枠
１ａ  見付部分
２  幕板
３  遮煙・遮炎スクリーン装置
３ａ  遮煙・遮炎スクリーン
４  従来の揚重治具
５  揚重治具
５ａ  取り付け部
５ｂ  揚重吊り上げ部
６  強度部材
７  補強板
８  締結具
９  揚重穴
９ａ  別の揚重穴
１０  シャックル
１１  揚重ワイヤー
１２  チェーンブロック等のフック
１３  継ぎ枠
１４  ねじ座
１４ａ  ねじ穴
１５  取付金具
１６  ボルト
１７  ハット形金具
【図１】
2007246209.tif 000003
【図２】
2007246209.tif 000004
【図３】
2007246209.tif 000005
【図４】
2007246209.tif 000006
【図５】
2007246209.tif 000007
【図６】
2007246209.tif 000008
【図７】
2007246209.tif 000009
【図８】
2007246209.tif 000010
【図９】
2007246209.tif 000011
【図１０】
2007246209.tif 000012
【図１１】
2007246209.tif 000013
【図１２】
2007246209.tif 000014
【図１３】
2007246209.tif 000015
【図１４】
2007246209.tif 000016
【図１５】
2007246209.tif 000017
【図１６】
2007246209.tif 000018
【図１７】
2007246209.tif 000019
【図１８】
2007246209.tif 000020
【図１９】
2007246209.tif 000021
【図２０】
2007246209.tif 000022
【図２１】
2007246209.tif 000023
【図２２】
2007246209.tif 000024
【図２３】
2007246209.tif 000025